(57)【特許請求の範囲】
【請求項１】
腹側外装部分及び背側外装部分を有し、前記腹側外装部分の側縁部と前記背側外装部分の側縁部とが幅方向両側で接合されてウエスト開口が形成された、外装体と、
腹側の部分が前記腹側外装体の幅方向中央領域に、及び背側の部分が前記背側外装体の幅方向中央領域にそれぞれ接合され、装着者の股間を通るように設けられた内装体と、を備え、
前記外装体における前記内装体の幅方向両側に位置する部分の縁により、脚開口の縁の少なくとも一部が形成された、パンツタイプ使い捨ておむつにおいて、
前記腹側外装部分及び背側外装部分の少なくとも一方の外装部分は、
前記ウエスト開口及び脚開口の少なくとも一方の開口の縁部分からそれに続く部分にかけて、第１シート層と第２シート層との間に幅方向に伸縮可能な弾性フィルムが積層された基本積層部分と、
前記開口の縁部分に設けられた、前記基本積層部分から連続する弾性フィルム並びに前記第１シート層及び第２シート層の一方のシート層が、前記開口の縁で当該一方のシート層と反対側に折り返された折り返し積層部分とを有しており、
前記基本積層部分及び折り返し積層部分では、前記第１シート層及び第２シート層が、幅方向及び前後方向にそれぞれ間隔を空けて配列された多数の接合部で接合されており、
前記折り返し積層部分では、前記第１シート層及び第２シート層の前記一方のシート層のみが前記弾性フィルムとともに折り返されており、他方のシート層の先端は前記一方のシート層の先端とその折り返しの折り目との間に位置している、
ことを特徴とするパンツタイプ使い捨ておむつ。
【請求項２】
前記外装体は、前記腹側外装部分をなす腹側外装体の両側部と前記背側外装部分をなす背側外装体の両側部とが接合されたものであり、前記腹側外装体と前記背側外装体とが股間側で連続せずに離間されている、請求項１記載のパンツタイプ使い捨ておむつ。
【請求項３】
前記折り返し積層部分では、前記基本積層部分で弾性フィルムの内側に位置するシート層が前記弾性フィルムとともに基本積層部分の外側に折り返されている、請求項１又は２記載のパンツタイプ使い捨ておむつ。
【請求項４】
前記折り返し積層部分における前記接合部の面積率が、幅方向中間から幅方向両側に向かうにつれて段階的又は連続的に高くなるように構成されている、請求項１〜３のいずれか１項に記載のパンツタイプ使い捨ておむつ。
【発明の詳細な説明】
【技術分野】
【０００１】
本発明は、パンツタイプ使い捨ておむつに関するものである。
【背景技術】
【０００２】
パンツタイプ使い捨ておむつは、前身頃及び後身頃を個別又は一体的に構成する外装体と、前身頃から後身頃にわたるように外装体の内面に取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。
【０００３】
パンツタイプ使い捨ておむつの外装体には、サイドシール部を有する前後方向範囲（ウエスト開口から脚開口の上端に至る前後方向範囲）として定まる胴周り領域等に、糸ゴム等の弾性部材を設けて伸縮性を付加することが一般的となっており（例えば、特許文献１、２参照）、そのための弾性部材としては、従来、糸ゴム等の細長状弾性伸縮部材を長手方向に伸長した状態で多数並べて固定する手法が広く採用されているが、面的なフィット性に優れるものとして、弾性フィルムを伸縮性の付与方向に伸長した状態で取り付ける手法も提案されている。（例えば特許文献３参照）。
【０００４】
この弾性フィルムをシート層で挟んだ伸縮構造（以下、弾性フィルム伸縮構造ともいう）は、伸縮領域が不織布からなる第１シート層と、不織布からなる第２シート層との間に弾性フィルムが積層されてなるとともに、弾性フィルムがそれらの表面に沿う伸縮方向に伸長された状態で、第１シート層及び第２シート層が、伸縮方向及びこれと直交する方向にそれぞれ間隔を空けて配列された多数の接合部で、弾性フィルムに形成された貫通孔を通じて接合されてなるものである。このような弾性フィルム伸縮構造は、自然長状態では、接合部間において弾性フィルムが収縮するのに伴い、接合部の間隔が狭くなり、第１シート層及び第２シート層における接合部間に伸縮方向と交差する方向に延びる収縮皺が形成される。反対に伸長時には、接合部間において弾性フィルムが伸長するのに伴い、接合部の間隔及び第１シート層及び第２シート層における収縮皺が広がり、第１シート層及び第２シート層の完全展開状態まで弾性伸長が可能となる。この弾性フィルム伸縮構造は、面的なフィット性に優れるのはもちろん、第１シート層及び第２シート層と弾性フィルムとの接合が無く、かつ第１シート層及び第２シート層の接合も極めて少ないため非常に柔軟であり、また、弾性フィルムの貫通孔が通気性向上にも寄与するという利点がある。
【先行技術文献】
【特許文献】
【０００５】
【特許文献１】特開２０１０−２３３９４５号公報
【特許文献２】特開２０１１−６２３２９号公報
【特許文献３】特表２００４−５３２７５８号公報
【発明の概要】
【発明が解決しようとする課題】
【０００６】
パンツタイプ使い捨ておむつにおいて、外装体に弾性フィルム伸縮構造を採用する場合、構造の簡素化及び資材コストの抑制のためには、同一の弾性フィルムによりできるだけ広範囲に伸縮領域を形成することが望まれる。
【０００７】
しかし、弾性フィルム伸縮構造は、通常では伸縮方向と直交する方向に締め付け力を変化させることができない。また、弾性フィルム伸縮構造は、柔軟性を確保するために弾性フィルムを薄くすると弾性フィルムが弱くなるため、どちらかといえば締め付け力を強く発揮させるのに不向きな構造である。
【０００８】
したがって、ウエスト部や脚周り部のように比較的に強い締め付け力が望まれる開口の縁部分と、それに続く部分とにわたり、同一の弾性フィルムによる伸縮構造を設けることは困難であった。
【０００９】
そこで、本発明の主たる課題は、開口の縁部分及びそれに続く部分が同一の弾性フィルムによる伸縮構造でありながら、開口の縁部分をより強く締め付けることができるパンツタイプ使い捨ておむつを提供することにある。
【課題を解決するための手段】
【００１０】
上記課題を解決した本発明は次記のとおりである。
＜請求項１記載の発明＞
腹側外装部分及び背側外装部分を有し、前記腹側外装部分の側縁部と前記背側外装部分の側縁部とが幅方向両側で接合されてウエスト開口が形成された、外装体と、
腹側の部分が前記腹側外装体の幅方向中央領域に、及び背側の部分が前記背側外装体の幅方向中央領域にそれぞれ接合され、装着者の股間を通るように設けられた内装体と、を備え、
前記外装体における前記内装体の幅方向両側に位置する部分の縁により、脚開口の縁の少なくとも一部が形成された、パンツタイプ使い捨ておむつにおいて、
前記腹側外装部分及び背側外装部分の少なくとも一方の外装部分は、
前記ウエスト開口及び脚開口の少なくとも一方の開口の縁部分からそれに続く部分にかけて、第１シート層と第２シート層との間に幅方向に伸縮可能な弾性フィルムが積層された基本積層部分と、
前記開口の縁部分に設けられた、前記基本積層部分から連続する弾性フィルム並びに前記第１シート層及び第２シート層の一方のシート層が、前記開口の縁で当該一方のシート層と反対側に折り返された折り返し積層部分とを有しており、
前記基本積層部分及び折り返し積層部分では、前記第１シート層及び第２シート層が、幅方向及び前後方向にそれぞれ間隔を空けて配列された多数の接合部で接合されており、
前記折り返し積層部分では、前記第１シート層及び第２シート層の前記一方のシート層のみが前記弾性フィルムとともに折り返されており、他方のシート層の先端は前記一方のシート層の先端とその折り返しの折り目との間に位置している、
ことを特徴とするパンツタイプ使い捨ておむつ。
【００１１】
（作用効果）
本発明では、折り返し積層部分を設けることにより、ウエスト開口及び脚開口の少なくとも一方の開口の縁部分では弾性フィルムが二層となり、それに続く部分では単層となるため、開口の縁部分及びそれに続く部分が同一の弾性フィルムによる伸縮構造でありながら、開口の縁部分をより強く締め付けることができるようになる。よって、弾性フィルムのみでパンツタイプ使い捨ておむつに好ましいフィット性を作り出すことができる。また、本発明では開口の縁がシート層の折り返しにより形成されるため、第１シート層及び第２シート層が開いて見栄えや装着感を悪化させることがない、という利点ももたらされる。また、弾性フィルムが露出することなく、折り返し積層部分の厚みを減らすことができる。
【００１２】
＜請求項２記載の発明＞
前記外装体は、前記腹側外装部分をなす腹側外装体の両側部と前記背側外装部分をなす背側外装体の両側部とが接合されたものであり、前記腹側外装体と前記背側外装体とが股間側で連続せずに離間されている、請求項１記載のパンツタイプ使い捨ておむつ。
【００１３】
（作用効果）
このような外装二分割タイプのものは、外装部分に折り返し積層部分を形成しやすいため好ましい。
【００１４】
＜請求項３記載の発明＞
前記折り返し積層部分では、前記基本積層部分で弾性フィルムの内側に位置するシート層が前記弾性フィルムとともに基本積層部分の外側に折り返されている、請求項１又は２記載のパンツタイプ使い捨ておむつ。
【００１５】
（作用効果）
折り返し積層部分の折り返し側は適宜定めることができるが、基本積層部分の外側に折り返すと、強く締め付ける部分の内面に凹凸が生じないため、装着感が良好となる。
【００１６】
【００１７】
【００１８】
＜請求項４記載の発明＞
前記折り返し積層部分における前記接合部の面積率が、幅方向中間から幅方向両側に向かうにつれて段階的又は連続的に高くなるように構成されている、請求項１〜３のいずれか１項に記載のパンツタイプ使い捨ておむつ。
【００１９】
（作用効果）
本発明のような弾性フィルム伸縮構造では、基本的に、接合部の面積率が高くなるほど第１シート層及び第２シート層が弾性フィルムにより収縮する部分が少なくなり、弾性限界伸びも低下する。よって、脚開口の縁部分の折り返し積層部分における接合部の面積率が、幅方向中間から幅方向両側に向かうにつれて段階的又は連続的に高くなるように構成されていると、ウエストや脚周りのフィット性を向上させることができる。
ここで、「弾性限界伸び」とは、弾性限界（換言すれば第１シート層及び第２シート層が完全に展開した状態）における伸びを意味し、弾性限界時の長さを自然長を１００％としたときの百分率で表すものであり、「面積率」とは単位面積に占める対象部分の割合を意味し、対象領域（例えば伸縮領域）における対象部分（例えば接合部）の総面積を当該対象領域の面積で除して百分率で表すものであり、特に「接合部の面積率」とは、伸縮方向に弾性限界まで伸ばした状態の面積率を意味するものである。
【発明の効果】
【００２０】
以上のとおり、本発明によれば、開口の縁部分及びそれに続く部分が同一の弾性フィルムによる伸縮構造でありながら、開口の縁部分をより強く締め付けることができるパンツタイプ使い捨ておむつとなる、等の利点がもたらされる。
【図面の簡単な説明】
【００２１】
【図１】完全展開状態のパンツタイプ使い捨ておむつの平面図（内面側）である。
【図２】完全展開状態のパンツタイプ使い捨ておむつの平面図（外面側）である。
【図３】（ａ）は外装体の要部平面図、（ｂ）は（ａ）のＤ−Ｄ断面図、（ｃ）は装着状態における断面図、（ｄ）は自然長状態における断面図である。
【図４】（ａ）図１のＣ−Ｃ断面図、（ｂ）図１のＥ−Ｅ断面図である。
【図５】図１のＡ−Ａ断面図である。
【図６】図１のＢ−Ｂ断面図である。
【図７】完全展開状態のパンツタイプ使い捨ておむつの要部のみ示す平面図である。
【図８】幅方向にある程度伸長した外装体の要部断面を概略的に示す断面図である。
【図９】幅方向にある程度伸長した外装体の要部断面を概略的に示す断面図である。
【図１０】（ａ）図１のＣ−Ｃ断面図、（ｂ）図１のＥ−Ｅ断面図である。
【図１１】完全展開状態のパンツタイプ使い捨ておむつの平面図（外面側）である。
【図１２】接合部のパターンを示す要部拡大平面図である。
【図１３】接合部のパターンを示す要部拡大平面図である。
【図１４】外装体のサンプルの写真である。
【図１５】接合部の各種配列例を示す平面図である。
【図１６】接合部の拡大写真である。
【図１７】第１シート層及び第２シート層を剥離した状態の接合部の拡大写真である。
【図１８】外装体組立工程の概略図である。
【図１９】完全展開状態のパンツタイプ使い捨ておむつの平面図（外面側）である。
【図２０】（ａ）図１９のＣ−Ｃ断面図、（ｂ）図１９のＥ−Ｅ断面図である。
【発明を実施するための形態】
【００２２】
以下、本発明の一実施形態について、添付図面を参照しつつ詳説する。なお、断面図中の点模様部分はホットメルト接着剤を示しているが、対象部材の溶着により接合を行う溶着手段を用いることもできる。ホットメルト接着剤は、ベタ、ビード、カーテン、サミット若しくはスパイラル等のパターンで塗布する他、弾性伸縮部材の固定部分はこれに代えて又はこれとともにコームガンやシュアラップ塗布などの弾性伸縮部材の外周面への塗布を採用することもできる。
【００２３】
図１〜図７はパンツタイプ使い捨ておむつを示している。このパンツタイプ使い捨ておむつ（以下、単におむつともいう。）は、腹側外装体２６の幅方向両側の側縁部と背側外装体２７の幅方向両側の側縁部とが、縦方向に沿ってヒートシールや超音波溶着等により接合されて筒状の外装体２６，２７が形成されるとともに、外装体２６，２７における腹側外装体２６の幅方向中央部内面に内装体２００の前端部が、及び背側外装体２７の幅方向中央部内面に内装体２００の後端部が、それぞれホットメルト接着剤等により連結されている。符号１２Ａは腹側外装体２６と背側外装体２７との接合部（サイドシール部）を示している。
【００２４】
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のように略長方形とすることが一般的である。
【００２５】
吸収体１３の表面側（肌当接面側）を覆う液透過性表面シート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２６】
吸収体１３の裏面側（非肌当接面側）を覆う液不透過性裏面側シート１２は、ポリエチレン又はポリプロピレンなどの液不透過性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートである。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２８】
吸収体１３の形状は、股間部に前後両側よりも幅の狭い括れ部分１３Ｎを有する略砂時計状に形成されているが、長方形状等、適宜の任意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２９】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在するギャザー本体部と、ギャザー本体部における前後端部が倒伏状態で内装体の表面の側部に固定されて形成された倒伏部分と、ギャザー本体部における倒伏部分間が非固定とされて形成された自由部分とが、折返しによって二重シートとしたギャザー不織布１５により形成されている。
【００３０】
また、二重シート間には、自由部分の先端部等に細長状ギャザー弾性部材１６が配設されている。ギャザー弾性部材１６は、製品状態において図５に二点鎖線で示すように、弾性伸縮力により自由部分を起立させて立体ギャザーＢＳを形成するためのものである。
【００３１】
液不透過性裏面側シート１２は、液透過性表面シート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３２】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３３】
前述のギャザー不織布１５を構成する素材繊維も液透過性表面シート１１と同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
（外装体の構造例）
外装体２６，２７の上部開口は、装着者の胴を通すウエスト開口となり、内装体２００の幅方向両側において外装体２６，２７の下縁及び内装体２００の側縁によりそれぞれ囲まれる部分が脚を通す脚開口となる。外装体２６，２７の各溶着部１２Ａを剥がして展開した状態では、図１及び図２に示すように前後方向中間が括れた形状をなす。外装体２６，２７は内装体２００を装着者に対して支持する部分である。
【００３５】
外装体２６，２７は、腹側外装体２６及び背側外装体２７からなり、腹側外装体２６及び背側外装体２７は脚側で連続しておらず、前後方向に離間されている。この前後方向の離間距離Ｌは特に限定されないが、おむつ全長Ｙの１０〜６０％程度とすることができる。この場合、内装体１０における液不透過性裏面側シート１２の裏面には、内装体１０の裏面全体を覆うように、あるいは腹側外装体２６と背側外装体２７との間に露出する部分全体を覆うように、股間部外装体２２を固定することが望ましいが、股間部外装体２２は省略することもできる。股間部外装体２２としては、後述する第１シート層２０Ａ及び第２シート層２０Ｂと同様の素材を用いることができる。
【００３６】
また、外装体２６，２７には、図４〜図６にも示されるように、ウエスト開口の縁部分であるウエスト部２３には、幅方向に沿う細長状弾性部材２４が配されるとともに、ウエスト部２３より前後方向中央側の領域には弾性フィルム３０が配設されて、幅方向の伸縮性が付与されている。なお、通常、胴周り領域Ｔ内に幅方向伸縮応力が変化する境界（例えば弾性伸縮部材の太さや伸長率が変化する）を有する場合は、最もウエスト開口側の境界よりもウエスト開口側がウエスト部２３となり、このような境界が無い場合は吸収体５６又は内装体１０よりもウエスト開口側がウエスト部２３となる。
【００３７】
より詳細に説明すると、ウエスト部弾性部材２４は、外装体２６，２７のウエスト部２３における第１シート層２０Ａ及び第２シート層２０Ｂの間に、前後方向に間隔をおいて配置された複数の糸ゴム等の細長状弾性部材であり、身体の胴周りを締め付けるように伸縮力を与えるものである。ウエスト部弾性部材２４は、間隔を密にして実質的に一束として配置されるのではなく、所定の伸縮ゾーンを形成するように３〜８ｍｍ程度の間隔を空けて、３本以上、好ましくは５本以上配置される。ウエスト部弾性部材２４の固定時の伸長率は適宜定めることができるが、通常の成人用の場合２３０〜３２０％程度とすることができる。
【００３８】
ウエスト部弾性部材２４は、図示例では糸ゴムを用いたが、例えばテープ状の伸縮部材を用いても良く、またこれに代えて、後述の弾性フィルムをウエスト部２３まで延在させてもよい。図示形態のウエスト部弾性部材２４は、第２シート層２０Ｂの構成材をウエスト開口縁で内面側に折り返してなる折り返し部分２０Ｃに挟持されているが、第１シート層２０Ａの構成材と第２シート層２０Ｂの構成材との間に挟持しても良い。
【００３９】
第１シート層２０Ａ及び第２シート層２０Ｂの構成材は、シート状のものであれば特に限定無く使用できるが、通気性及び柔軟性の観点から不織布を用いることが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１２〜２０ｇ／ｍ2程度とするのが好ましい。また、第１シート層２０Ａ及び第２シート層２０Ｂは、一枚の資材を折り返して対向させた一対の層であっても良い。
【００４０】
一方、図２に示すように、ウエスト部２３より前後方向中央側の伸縮領域２０Ｘには、弾性フィルム３０が配設されることにより幅方向の伸縮性が付与されている。すなわち、伸縮領域２０Ｘは、ウエスト部２３との境界から脚開口の縁２９にかけて、第１シート層２０Ａと、その外側に位置する第２シート層２０Ｂとの間に弾性フィルム３０が積層されてなる基本積層部分３５と、脚開口の縁部分である脚周り部２８に設けられた、基本積層部分から連続する弾性フィルム３０並びに第１シート層２０Ａ及び第２シート層２０Ｂが、脚開口の縁２９で外側に折り返されてなる折り返し積層部分３６とを有している。そして、これら基本積層部分３５及び折り返し積層部分３６は、図３、図８及び図９に示されるように、弾性フィルム３０が少なくとも幅方向に伸長された状態で、第１シート層２０Ａ及び第２シート層２０Ｂが、幅方向及び前後方向にそれぞれ間隔を空けて配列された多数の接合部４０で、弾性フィルム３０に形成された貫通孔３１を通じて接合されている。また、第１シート層２０Ａ及び第２シート層２０Ｂは、少なくとも接合部４０における第１シート層２０Ａ及び第２シート層２０Ｂ間以外では弾性フィルム３０と接合されていない。
【００４１】
このような伸縮領域２０Ｘでは、図３（ｄ）に基本積層部分３５について示すように、弾性フィルム３０の自然長状態では、接合部４０間の第１シート層２０Ａ及び第２シート層２０Ｂが互いに離間する方向に膨らんで、幅方向と交差する方向に延びる収縮皺２５が形成され、図３（ｃ）に示すように、幅方向にある程度伸長した装着状態でも、収縮皺２５は伸ばされるものの、残るようになっている。また、装着状態を想定した図３（ｃ）及び第１シート層２０Ａ及び第２シート層２０Ｂの完全展開状態を想定した図３（ａ）（ｂ）からも分かるように、これらの状態では、弾性フィルム３０における貫通孔３１と、接合部４０との間に隙間が形成され、弾性フィルム３０の素材が無孔のフィルムやシートであっても、この隙間により通気性が付加される。このような伸長状態及び自然長状態の外観は図１４のサンプル写真にも現れている。また、図８及び図９の対比から容易に理解できるように、折り返し積層部分３６もシート層及び弾性フィルム３０の数が増加するだけで、同様の伸縮機構となる。
【００４２】
特徴的には、折り返し積層部分３６を設けることにより、脚周り部２８では弾性フィルム３０が二層となり、それに続く脚周り部２８とウエスト部２３との間の部分では単層となるため、脚周り部２８及びそれに続く部分が同一の弾性フィルム３０による伸縮構造でありながら、脚周り部２８をより強く締め付けることができるようになる。よって、弾性フィルム３０のみでパンツタイプ使い捨ておむつに好ましいフィット性を作り出すことができる。また、脚開口の縁２９が第１シート層２０Ａ及び第２シート層２０Ｂの折り返しにより形成されるため、第１シート層２０Ａ及び第２シート層２０Ｂが開いて見栄えや装着感を悪化させる事態も発生しにくくなる。
【００４３】
弾性フィルム３０は特に限定されるものではなく、それ自体弾性を有するものであれば特に限定なく用いることができ、例えば、スチレン系エラストマー、オレフィン系エラストマー、ポリエステル系エラストマー、ポリアミド系エラストマー及びポリウレタン系エラストマー等の熱可塑性エラストマーの１種又は２種以上のブレンド物を、Ｔダイ法やインフレーション法などの押出成形によりフィルム状に加工したものを用いることができる。また、弾性フィルム３０としては、無孔のものの他、通気のために多数の孔やスリットが形成されたものも用いることができる。特に、伸縮方向における引張強度が８〜２５Ｎ／３５ｍｍ、伸縮方向と直交する方向における引張強度が５〜２０Ｎ／３５ｍｍ、伸縮方向における引張伸度が４５０〜１０５０％、及び伸縮方向と直交する方向における引張伸度が４５０〜１４００％の弾性フィルム３０であると好ましい。なお、引張強度及び引張伸度（破断伸び）は、引張試験機（例えばＳＨＩＭＡＤＺＵ社製のＡＯＵＴＧＲＡＰＨＡＧＳ−Ｇ１００Ｎ）を用い、試験片を幅３５ｍｍ×長さ８０ｍｍの長方形状とした以外は、ＪＩＳ  Ｋ７１２７：１９９９「プラスチック−引張特性の試験方法−」に準じて、初期チャック間隔を５０ｍｍとし、引張速度を３００ｍｍ／ｍｉｎとして測定される値を意味する。弾性フィルム３０の厚みは特に限定されないが、２０〜４０μｍ程度であるのが好ましい。また、弾性フィルム３０の目付は特に限定されないが、３０〜４５ｇ／ｍ2程度であるのが好ましく、特に３０〜３５ｇ／ｍ2程度であるのが好ましい。
【００４４】
折り返し積層部分３６が形成される脚周り部２８（脚開口の縁部分）の幅（図示形態では前後方向寸法）は適宜定めることができるが、通常の場合、おむつ全長Ｙの１０〜６０％程度とすることができる。
【００４５】
折り返し積層部分３６の折り返し側は基本積層部分３５の内側に折り返すこともできるが、図示形態のように基本積層部分３５で弾性フィルム３０の内側に位置する第１シート層２０Ａが弾性フィルム３０とともに基本積層部分３５の外側に折り返されていると、相対的に強く締め付けられる部分となる脚周り部２８の内面に凹凸が生じないため、装着感が良好となる。
【００４６】
ここで、本発明に従って、折り返し積層部分３６においては、図４に示す形態のように、基本積層部分３５から連続する第１シート層２０Ａ及び第２シート層２０Ｂの両方を弾性フィルム３０とともに折り返すこともできるが、図１０に示すように、第１シート層２０Ａ及び第２シート層２０Ｂのいずれか一方のシート層（図示形態では第１シート層２０Ａ）のみを弾性フィルム３０とともに折り返し、他方のシート層（図示形態では第２シート層２０Ｂ）の先端を、一方のシート層の先端と折り返しの折り目との間に位置させると、弾性フィルム３０が露出することなく、折り返し積層部分３６の厚みを減らすことができるため好ましい。
【００４７】
他方、本発明のような弾性フィルム３０伸縮構造では、基本的に、接合部４０の面積率が高くなるほど第１シート層２０Ａ及び第２シート層２０Ｂが弾性フィルム３０により収縮する部分が少なくなり、弾性限界伸びも低下する。よって、図１１に点模様の濃淡で示すように、折り返し積層部分３６における接合部４０の面積率を、幅方向中間から幅方向両側に向かうにつれて段階的（又は連続的でも良い）に高くなるように構成すると、脚周りのフィット性を向上させることができる。
【００４８】
接合部４０の面積率は適宜定めることができるが、通常の場合、伸縮領域２０Ｘでは１．８〜２５％（特に１．８〜１９％）の範囲内とすることが望ましい。また、弾性限界伸びは適宜定めることができるが、通常の場合、伸縮領域２０Ｘでは１３０〜３００％（特に２００〜２９５％）程度とするのが好ましい。
【００４９】
接合部４０の面積率は二段階で変化させるだけでも十分なフィット性向上を図ることができるが、三段以上とすることもでき、また、本形態のような弾性フィルム３０伸縮構造であれば接合部４０のパターンだけで面積率、つまり収縮量（弾性限界伸び）を変化させることができるため、実質的に連続的に変化させることもできる。
【００５０】
接合部４０の面積率を変化させるには、図１２（ａ）に示すように単位面積当たりの接合部４０の数を変えたり、図１２（ｂ）に示すように個々の接合部４０の面積を変えたりすればよい。前者の場合、個々の接合部４０の面積を同じとすることも、異なるものとすることもでき、後者の場合、単位面積当たりの接合部４０の数を同じとすることも、異なるものとすることもできる。なお、図１３（ａ）には接合部４０の面積率を三段階で変化させる場合のパターン例が示されており、図１３（ｂ）には接合部４０の面積率を二段階で変化させる場合のパターン例が示されている。
【００５１】
個々の接合部４０及び貫通孔３１の自然長状態での形状は、真円形、楕円形、長方形等の多角形（線状や角丸のものを含む）、星形、雲形等、任意の形状とすることができる。
【００５２】
個々の接合部４０の大きさは、適宜定めれば良いが、大きすぎると接合部４０の硬さが感触に及ぼす影響が大きくなり、小さすぎると接合面積が少なく資材同士が十分に接着できなくなるため、通常の場合、個々の接合部４０の面積は０．１４〜３．５ｍｍ2（特に０．２５〜１．０ｍｍ2）程度とすることが好ましい。個々の貫通孔３１の開口の面積は、貫通孔３１を介して接合部が形成されるため接合部以上であれば良いが、接合部４０の面積の１〜１．５倍程度とすることが好ましい。なお、貫通孔３１の開口の面積は、当該伸縮構造２０Ｘが自然長の状態における値を意味し、貫通孔３１の開口の面積が、弾性フィルム３０の表と裏で異なる等、厚み方向に均一でない場合には最小値を意味する。
【００５３】
接合部４０及び貫通孔３１の平面配列は適宜定めることができるが、規則的に繰り返される平面配列が好ましく、図１５（ａ）に示すような斜方格子状や、図１５（ｂ）に示すような六角格子状（これらは千鳥状ともいわれる）、図１５（ｃ）に示すような正方格子状、図１５（ｄ）に示すような矩形格子状、図１５（ｅ）に示すような平行体格子（図示のように、多数の平行な斜め方向の列の群が互いに交差するように２群設けられる形態）状等（これらが伸縮方向に対して９０度未満の角度で傾斜したものを含む）のように規則的に繰り返されるものの他、接合部４０の群（群単位の配列は規則的でも不規則でも良く、模様や文字状等でも良い）が規則的に繰り返されるものとすることもできる。接合部４０及び貫通孔３１の配列形態は、面積率の異なる複数の領域において同じものとする他、異なるものとすることもできる。
【００５４】
接合部４０における第１シート層２０Ａ及び第２シート層２０Ｂの接合手段は特に限定されない。例えば、接合部４０における第１シート層２０Ａ及び第２シート層２０Ｂの接合はホットメルト接着剤によりなされていても、ヒートシールや超音波シール等の素材溶着による接合手段によりなされていても良い。素材溶着による接合手段を用いる場合、特許文献１記載のように、弾性フィルムの貫通孔を押し出しにより形成し、その貫通孔の位置で第１シート層２０Ａ及び第２シート層２０Ｂを直接に溶着により接合することもできるが、剥離強度が低く、強い力が加わると剥がれるおそれがある。また、特許文献１記載のものは、弾性フィルムの貫通孔を押し出しにより形成するため、図８（ｂ）及び図９（ｂ）に示すように、第１シート層２０Ａ及び第２シート層２０Ｂ間に弾性フィルム３０が残らず、貫通孔３１の周囲に図示しない押し出し破片が移動可能に残るおそれもある。また、特許文献１記載のものと異なり、図８（ｃ）及び図９（ｃ）に示すように、弾性フィルム３０に貫通孔を形成せずに、弾性フィルム３０を介して第１シート層２０Ａ及び第２シート層２０Ｂを接合することも考えられるが、その場合はさらに剥離強度が低いものとなるだけでなく、貫通孔３１を有しないため通気性が極めて低いという問題点もある。
【００５５】
よって、素材溶着による接合手段を用いる場合には、図８（ａ）及び図９（ａ）に示すように、接合部４０における第１シート層２０Ａ及び第２シート層２０Ｂの接合が、少なくとも、第１シート層２０Ａ及び第２シート層２０Ｂにわたる弾性フィルム３０の溶融固化物３０ｍによりなされている形態が好ましい。このように弾性フィルム３０の溶融固化物３０ｍを接着剤として第１シート層２０Ａ及び第２シート層２０Ｂを接合すると、剥離強度が高いものとなり、高い通気性と高い剥離強度とを両立できるようになる。
【００５６】
このような接合構造は、例えば図１８に示すように、第１シート層２０Ａと第２シート層２０Ｂとの間に弾性フィルム３０を伸縮方向と直交する方向にほぼ均等な伸長率で伸縮方向に伸長しつつ挟み、基本積層部分３５及び折り返し積層部分３６を形成した状態で、所定の接合部４０のパターンで溶着することにより、多数箇所で弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合する手法を用いて簡素かつ効率的に製造することができる。この場合、自然長状態では、個々の接合部４０の形状・面積と個々の貫通孔３１の形状・面積とがほぼ等しくなる。なお、図１８は、ヒートシール装置を用いた例を示しており、前述の接合部４０のパターンに配列された多数の加圧凸部６０ｐを外周面に備えたシールロール６０と、これに対向配置された表面平滑なアンビルロール６１とにより、第１シート層２０Ａ及び第２シート層２０Ｂ間に弾性フィルム３０を挟んだ状態の加工対象を挟み、加圧凸部６０ｐを加熱することにより、加圧凸部６０ｐとアンビルロール６１の外周面との間で厚み方向に加圧される部位のみ、弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合しているが、所望のパターンで弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合しうるものであれば、超音波シール等の他の装置を用いることもできる。
【００５７】
弾性フィルム３０の融点、並びに第１シート層２０Ａ及び第２シート層２０Ｂの融点、溶着箇所における加工温度の高低の関係は適宜定めることができるが、第１シート層２０Ａ及び第２シート層２０Ｂの融点が弾性フィルム３０の融点以下とされ、溶着箇所において第１シート層２０Ａ及び第２シート層２０Ｂの全体及び弾性フィルム３０の全体が溶融・混合し、接合部４０が形成されるよりも、第１シート層２０Ａ及び第２シート層２０Ｂの融点が弾性フィルム３０の融点よりも高く、溶着箇所で弾性フィルム３０が溶融するとともに、第１シート層２０Ａ及び第２シート層２０Ｂの一部又は全部が溶融しない方が好ましい。すなわち、後者の場合、図１６及び図１７からも分かるように、接合部４０の周囲から連続する第１シート層２０Ａ及び第２シート層２０Ｂの繊維２０ｆが残っており、第１シート層２０Ａ及び第２シート層２０Ｂにわたり浸透し固化した弾性フィルム３０の溶融固化物３０ｍにより第１シート層２０Ａ及び第２シート層２０Ｂが接合された構造となり、第１シート層２０Ａ及び第２シート層２０Ｂに対する弾性フィルム３０の溶融固化物３０ｍの食い付きが良好となるだけでなく、第１シート層２０Ａ及び第２シート層２０Ｂの強度が低下しにくくなるため、より一層剥離強度に優れたものとなる。なお、第１シート層２０Ａ及び第２シート層２０Ｂの一部が溶融しないことには、接合部の全繊維について芯（複合繊維における芯だけでなく単成分繊維の中心部分を含む）は残るがその周囲部分（複合繊維における鞘だけでなく単成分繊維の表層側の部分を含む）は溶融する形態や、一部の繊維は全く溶融しないが、残りの繊維は全部が溶融する又は芯は残るがその周囲部分は溶融する形態を含む。
【００５８】
このような観点から、弾性フィルム３０の融点は８０〜１４５℃程度のものが好ましく、第１シート層２０Ａ及び第２シート層２０Ｂの融点は８５〜１９０℃程度、特に１５０〜１９０℃程度のものが好ましく、また、第１シート層２０Ａ及び第２シート層２０Ｂの融点と弾性フィルム３０の融点との差は６０〜８０℃程度であるのが好ましい。
【００５９】
また、パンツタイプ使い捨ておむつにおける吸収体１３と重なる領域は、製造上の理由により弾性フィルム３０を配置させることが望ましいものの伸縮が不要な領域である。よって、外装体２６，２７の伸縮領域２０Ｘにおける吸収体１３と重なる部分における接合部の面積率を高くし、弾性限界伸びが１３０％以下の非伸縮領域としたり、弾性部材を設けずに非伸縮領域としたりすることもできる。
【００６０】
（前後押さえシート）
図１及び図４にも示されるように、外装体２６，２７の内面上に取り付けられた内装体１０の前後端部をカバーし、且つ内装体１０の前後縁からの漏れを防ぐために、前後押さえシート５０，６０が設けられていても良い。図示形態について更に詳細に説明すると、前押さえシート５０は、前身頃Ｆ内面のうちウエスト側端部の折り返し部分２０Ｃの内面から内装体１０の前端部と重なる位置まで幅方向全体にわたり延在しており、後押さえシート６０は、後身頃Ｂ内面のうちウエスト側端部の折り返し部分２０Ｃの内面から内装体１０の後端部と重なる位置まで幅方向全体にわたり延在している。前後押さえシート５０，６０の股間側の縁部に幅方向の全体にわたり（中央部のみでも良い）若干の非接着部分を設けると、接着剤がはみ出ないだけでなく、この部分を表面シートから若干浮かせて防漏壁として機能させることができる。
【００６１】
図示形態のように、前後押さえシート５０，６０を別体として取り付けると、素材選択の自由度が高くなる利点があるものの、資材や製造工程が増加する等のデメリットもある。そのため、外装体２６，２７をおむつ内面に折り返してなる折り返し部分２０Ｃを、内装体１０と重なる部分まで延在させて、前述の押さえシート５０，６０と同等の部分を形成することもできる。
【００６２】
（その他）
（ａ）上記例は、腹側外装体２６と背側外装体２７とが分離された外装二分割構造の例であるが、股間を介して腹側から背側まで連続する外装体に対して適用することもできる。この連続外装体における腹側の領域及び背側の領域は、前述の腹側外装体２６Ｆ及び背側外装体２７に相当するため、本発明では両者を総称して腹側外装部分及び背側外装部分としたものである。
【００６３】
（ｂ）上記例は、腹側外装体２６及び背側外装体２７の両方に折り返し積層部分３６を設けているが、いずれか一方にのみ折り返し積層部分３６を設けることもできる。
【００６４】
（ｃ）図示例は、外装体２６，２７のウエスト部２３以外に弾性フィルム３０による伸縮領域２０Ｘに設けた例であるが、ウエスト部２３まで弾性フィルム３０による伸縮領域２０Ｘを延在させ、細長状のウエスト部弾性部材２４を省略することもできる。
【００６５】
（ｄ）上記例では脚周り部２８（脚開口の縁部分）にのみ折り返し積層部分３６を設けているが、これとともに（又はこれに代えて）、図１９及び図２０に示す形態のようにウエスト部２３まで基本積層部分３５を延在させ、ウエスト部２３（ウエスト開口の縁部分）に折り返し積層部分３６を設けても良い。
【００６６】
＜明細書中の用語の説明＞
明細書中の以下の用語は、明細書中に特に記載が無い限り、以下の意味を有するものである。
・「伸長率」は、自然長を１００％としたときの値を意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
・試験や測定における環境条件についての記載が無い場合、その試験や測定は、標準状態（試験場所は、温度２０±５℃、相対湿度６５％以下）の試験室又は装置内で行うものとする。
【産業上の利用可能性】
【００６７】
本発明は、上記例のようなパンツタイプ使い捨ておむつに利用できるものである。
【符号の説明】
【００６８】
Ｂ…後身頃、Ｆ…前身頃、Ｌ…中間領域、Ｔ…胴周り領域、１０…内装体、１１…液透過性表面シート、１２…液不透過性裏面側シート、１３…吸収体、１３Ｎ…括れ部分、１４…包装シート、１５…ギャザー不織布、１６…ギャザー弾性部材、２０Ａ…第１シート層、２０Ｂ…第２シート層、２０Ｘ…伸縮領域、２１…サイドシール部、２２…股間部外装体、２４…ウエスト部弾性部材、２５…収縮皺、２６，２７…外装体、２６…腹側外装体、２７…背側外装体、２８…脚周り部、２９…脚開口の縁、３０…弾性フィルム、３１…貫通孔、３５…基本積層部分、３６…折り返し積層部分、４０…接合部。
【要約】
【課題】開口の縁部分及びそれに続く部分が同一の弾性フィルムによる伸縮構造でありながら、開口の縁部分をより強く締め付けることができるようにする。
【解決手段】上記課題は、腹側外装体２６及び背側外装体２７は、脚周り部２８からそれに続く部分にかけて、第１シート層２０Ａと第２シート層２０Ｂとの間に弾性フィルム３０が積層されてなる基本積層部分３５と、脚周り部２８に設けられた、基本積層部分３５から連続する弾性フィルム３０並びに第１シート層２０Ａ及び第２シート層２０Ｂが、脚開口の縁２９で外側に折り返されてなる折り返し積層部分３６とを有しており、基本積層部分３５及び折り返し積層部分３６は、弾性フィルム３０が少なくとも幅方向に伸長された状態で、第１シート層２０Ａ及び第２シート層２０Ｂが、幅方向及び前後方向にそれぞれ間隔を空けて配列された多数の接合部４０で接合されてなる、ことを特徴とするパンツタイプ使い捨ておむつにより解決される。
【選択図】図４【図１】
0005956667.tif 000002
【図２】
0005956667.tif 000003
【図３】
0005956667.tif 000004
【図４】
0005956667.tif 000005
【図５】
0005956667.tif 000006
【図６】
0005956667.tif 000007
【図７】
0005956667.tif 000008
【図８】
0005956667.tif 000009
【図９】
0005956667.tif 000010
【図１０】
0005956667.tif 000011
【図１１】
0005956667.tif 000012
【図１２】
0005956667.tif 000013
【図１３】
0005956667.tif 000014
【図１５】
0005956667.tif 000015
【図１８】
0005956667.tif 000016
【図１９】
0005956667.tif 000017
【図２０】
0005956667.tif 000018
【図１４】
0005956667.tif 000019
【図１６】
0005956667.tif 000020
【図１７】
0005956667.tif 000021